(57)【特許請求の範囲】
【請求項１】
映像を切り替えるために操作される操作卓と、
前記操作卓に設けられ、映像効果の設定値を変更するために操作される設定操作部材と、
前記設定操作部材の操作に応じた前記設定値を表示するディスプレイと、
前記ディスプレイの露出範囲を低減する所定の退避方向へと前記ディスプレイを移動する移動機構と、
前記退避方向における前記ディスプレイの位置を検出するディスプレイ位置検出部と、
前記ディスプレイ位置検出部により検出された位置情報に応じて前記ディスプレイの表示を制御する制御部と、
を備え、前記制御部は、前記ディスプレイが前記退避方向へ移動したときに残った露出範囲に前記設定値を表示するように前記設定値の表示を変更することを特徴とする映像切替装置。
【請求項２】
前記制御部は、前記ディスプレイが前記退避方向に移動したときに、前記ディスプレイ上での前記設定値の表示位置を前記退避方向と反対方向に変更することを特徴とする請求項１に記載の映像切替装置。
【請求項３】
前記移動機構は、前記ディスプレイを、表示領域の全体が露出する全露出位置から、前記表示領域の一部が露出する部分露出位置へ移動可能に構成され、
前記制御部は、前記ディスプレイが前記全露出位置にあるときは前記表示領域における前記退避方向側の縁部に前記設定値を表示し、前記ディスプレイが前記部分露出位置にあるときは前記表示領域の露出範囲における前記退避方向側の縁部に前記設定値を表示することを特徴とする請求項２に記載の映像切替装置。
【請求項４】
前記ディスプレイは、前記表示領域を分割した複数の分割領域に複数の分割画像をそれぞれ表示し、前記複数の分割画像に前記設定値を表示する設定値画像が含まれ、
前記制御部は、前記ディスプレイの位置情報に応じて前記複数の分割画像の並びを変更して、前記設定値画像の表示位置を移動することを特徴とする請求項１ないし３のいずれかに記載の映像切替装置。
【請求項５】
前記設定操作部材は、前記ディスプレイの表示領域の全体が露出しているときの前記ディスプレイの前記退避方向側の縁部に隣接して配置されていることを特徴とする請求項１ないし４のいずれかに記載の映像切替装置。
【請求項６】
映像を切り替えるために操作される操作卓と、
映像効果を設定するために用いられ、前記映像効果の設定値を表示するディスプレイと、
前記ディスプレイの露出範囲を低減する所定の退避方向へと前記ディスプレイを移動する移動機構と、
前記退避方向における前記ディスプレイの位置を検出するディスプレイ位置検出部と、
前記ディスプレイ位置検出部により検出された位置情報に応じて前記ディスプレイの表示を制御する制御部と、
を備え、前記制御部は、前記ディスプレイが前記退避方向へ移動したときに残った露出範囲に前記設定値を表示するように前記設定値の表示を変更することを特徴とする映像切替装置。
【請求項７】
切替対象の切替えを行う切替対象切替装置であって、
前記切替対象を切り替えるために操作される操作卓と、
前記操作卓に設けられ、前記切替対象の効果設定の設定値を変更するために操作される設定操作部材と、
前記設定操作部材の操作に応じた前記設定値を表示するディスプレイと、
前記ディスプレイの露出範囲を低減する所定の退避方向へと前記ディスプレイを移動する移動機構と、
前記退避方向における前記ディスプレイの位置を検出するディスプレイ位置検出部と、
前記ディスプレイ位置検出部により検出された位置情報に応じて前記ディスプレイの表示を制御する制御部と、
を備え、前記制御部は、前記ディスプレイが前記退避方向へ移動したときに残った露出範囲に前記設定値を表示するように前記設定値の表示を変更することを特徴とする切替対象切替装置。
【請求項８】
切替対象の切替えを行う切替対象切替装置であって、
前記切替対象を切り替えるために操作される操作卓と、
前記切替対象の効果設定を行うために用いられ、効果設定の設定値を表示するディスプレイと、
前記ディスプレイの露出範囲を低減する所定の退避方向へと前記ディスプレイを移動する移動機構と、
前記退避方向における前記ディスプレイの位置を検出するディスプレイ位置検出部と、
前記ディスプレイ位置検出部により検出された位置情報に応じて前記ディスプレイの表示を制御する制御部と、
を備え、前記制御部は、前記ディスプレイが前記退避方向へ移動したときに残った露出範囲に前記設定値を表示するように前記設定値の表示を変更することを特徴とする切替対象切替装置。
【発明の詳細な説明】
【技術分野】
【０００１】
本発明は、操作性を向上できる映像切替装置に関する。
【背景技術】
【０００２】
従来、テレビ番組等の映像制作に、スイッチャと呼ばれる映像切替装置が用いられている。映像切替装置は、複数のカメラで撮影された映像から放送すべき映像を選択するために用いられる。
【０００３】
図６〜図８は、従来の典型的な映像切替装置の例を示している。図６に示されるように、映像切替装置１００は、映像監視用の多数のモニタ１０２の前に配置される。図７および図８は映像切替装置の平面図であり、図８は、説明を分かりやすくするために簡略化されている。図示のように、映像切替装置１００は、操作卓１０４を備え、操作卓１０４には映像切替操作のためのボタン群が配置されている。操作卓１０４の奥の縁部にディスプレイ１０６が備えられている。図では理解が容易なようにディスプレイ１０６が寝かした状態で描かれているが、実際にはディスプレイ１０６は図６に示されるように立っている。ディスプレイ１０６は一般にフラットパネルディスプレイで構成されている。ディスプレイ１０６は、メニューディスプレイパネルと呼ばれ、映像効果の詳細を設定するために用いられる。ディスプレイ１０６を使って映像効果が登録され、その映像効果が操作卓１０４の釦群を使って呼び出される。
【０００４】
ディスプレイ１０６には、映像効果の設定値を変更するための操作部材が一体化されている。図の例では、操作部材として複数のノブ１０８が、表示領域の縁部に配置されている。各ノブ１０８の設定値は、該当するノブ１０８に近接して表示領域の縁部に表示される。各ノブ１０８が回動されると、そのノブ１０８に対応する設定値が変わり、設定値の表示も変わる。
【０００５】
一般に番組制作では、ディスプレイ１０６を用いた詳細設定は番組準備段階でのみ行われることが多く、番組中は操作卓１０４のみが使われることが多い。そこで、従来は、ディスプレイ１０６は、移動したり収納できるように構成されており、番組中はモニタを見易いようにディスプレイ１０６が移動される。また、ディスプレイ１０６の場所が、番組中の使用頻度が高い他の機器を配置するのに利用されることもある。
従来の映像切替装置は例えば特許文献１に開示されている。
【特許文献１】特開２００３−８９４３号公報（第２ページ、図１）
【発明の開示】
【発明が解決しようとする課題】
【０００６】
しかしながら、従来の映像切替装置においては、ノブ１０８等の設定用操作部材がディスプレイ１０６に一体化されており、しかもディスプレイ１０６が番組中は移動または収納されてしまうので、番組中に発生する突発的な設定変更の要求に迅速に応えられないという問題があった。
【０００７】
このような問題に対処するために、ノブ１０８をディスプレイ１０６から分離することも考えられる。しかしながら、ノブ１０８だけを残しても、ディスプレイ１０６が動かされてしまえば、ノブ１０８による操作の設定値を確認できないので、番組中の設定操作は依然として困難である。
【０００８】
上記の説明では、映像切替装置に関連して本発明の背景と問題を説明した。しかし、映像以外の切替対象を切り替える切替装置においても同様の問題が生じ得る。映像以外の切替対象切替装置としては、典型的には、音声切替装置および照明装置が挙げられる。音声切替装置はミキサと呼ばれ、映像切替装置と同様に切替操作用の操作卓を備え、放送やイベント会場などで使用される。照明装置も切替操作用の操作卓を備え、放送やイベント会場などで使用される。このように切替対象が異なっていても、準備が終わった後にディスプレイが移動されると、突発的な設定変更の要求に迅速に応えられないという問題が生じ得る。
【０００９】
本発明は、従来の問題を解決するためになされたもので、その目的は、番組中でもディスプレイが邪魔になることなく、設定値を確認しながら設定操作を行うことが可能な映像切替装置を提供することにある。
【課題を解決するための手段】
【００１０】
本発明の映像切替装置は、映像を切り替えるために操作される操作卓と、前記操作卓に設けられ、映像効果の設定値を変更するために操作される設定操作部材と、前記設定操作部材の操作に応じた前記設定値を表示するディスプレイと、前記ディスプレイの露出範囲を低減する所定の退避方向へと前記ディスプレイを移動する移動機構と、前記退避方向における前記ディスプレイの位置を検出するディスプレイ位置検出部と、前記ディスプレイ位置検出部により検出された位置情報に応じて前記ディスプレイの表示を制御する制御部と、を備え、前記制御部は、前記ディスプレイが前記退避方向へ移動したときに残った露出範囲に前記設定値を表示するように前記設定値の表示を変更する。
【００１１】
この構成により、ディスプレイが退避方向へ移動可能に設けられ、この移動によってディスプレイが番組中に邪魔になるのを回避できる。ノブ等の設定操作部材は操作卓に備えられるので、ディスプレイが移動しても操作部材は操作可能である。また、ディスプレイが移動して露出範囲が減っても、残った露出範囲に設定値を表示するように設定値の表示が制御される。したがって、番組中でもディスプレイが邪魔になることなく、設定値を確認しながら設定操作を行うことが可能な映像切替装置を提供することができる。
【００１２】
また、本発明の映像切替装置において、前記制御部は、前記ディスプレイが前記退避方向に移動したときに、前記ディスプレイ上での前記設定値の表示位置を前記退避方向と反対方向に変更する。
【００１３】
この構成により、ディスプレイが退避方向へ移動しても、設定値表示を退避方向と反対方向に移動することによって、部分的に残った露出範囲に設定値表示を残すことができる。
【００１４】
また、本発明の映像切替装置において、前記移動機構は、前記ディスプレイを、表示領域の全体が露出する全露出位置から、前記表示領域の一部が露出する部分露出位置へ移動可能に構成され、前記制御部は、前記ディスプレイが前記全露出位置にあるときは前記表示領域における前記退避方向側の縁部に前記設定値を表示し、前記ディスプレイが前記部分露出位置にあるときは前記表示領域の露出範囲における前記退避方向側の縁部に前記設定値を表示する。
【００１５】
この構成により、ディスプレイの表示領域の全体が露出しているときも、一部が露出しているときも、露出範囲内で退避方向側の縁部に設定値が表示される。ディスプレイの位置が変わっても設定値の表示位置を維持することができ、設定値の視認が容易になり、設定操作を同様に行うことができる。
【００１６】
また、本発明の映像切替装置において、前記ディスプレイは、前記表示領域を分割した複数の分割領域に複数の分割画像をそれぞれ表示し、前記複数の分割画像に前記設定値を表示する設定値画像が含まれ、前記制御部は、前記ディスプレイの位置情報に応じて前記複数の分割画像の並びを変更して、前記設定値画像の表示位置を移動する。
【００１７】
この構成により、設定値の表示位置を好適に変更できる。この構成では、退避方向の分割画像幅に対応する移動幅で段階的にディスプレイが退避方向に移動するように移動機構が構成されてよい。そして、ディスプレイの移動に連動して分割画像が並び替えられてよい。また、一つの分割画像が露出範囲に残るディスプレイ位置では、設定値画像が露出範囲に配置されてよい。これにより、ディスプレイの露出を最低限にしつつ、設定値の表示を残すことができる。
【００１８】
また、本発明の映像切替装置において、、前記設定操作部材は、前記ディスプレイの表示領域の全体が露出しているときの前記ディスプレイの前記退避方向側の縁部に隣接して配置されている。この構成により、設定値の表示と設定操作部材を近接させることができ、設定値を確認しながらの操作が容易になる。
【００１９】
本発明の別の態様においては、ディスプレイ装置が、映像を切り替えるために操作される操作卓と、映像効果を設定するために用いられ、前記映像効果の設定値を表示するディスプレイと、前記ディスプレイの露出範囲を低減する所定の退避方向へと前記ディスプレイを移動する移動機構と、前記退避方向における前記ディスプレイの位置を検出するディスプレイ位置検出部と、前記ディスプレイ位置検出部により検出された位置情報に応じて前記ディスプレイの表示を制御する制御部と、を備え、前記制御部は、前記ディスプレイが前記退避方向へ移動したときに残った露出範囲に前記設定値を表示するように前記設定値の表示を変更する。
【００２０】
この態様は、設定操作部材が上述の構成と同様に操作卓に設けられる構成に限定されない。設定操作部がディスプレイに設けられ、設定操作がディスプレイを使って行われてよい。例えば、ディスプレイがタッチパネルであり、タッチパネルが設定操作部として機能する。この態様でも、ディスプレイの移動に応じて設定値表示が変更されて、設定値表示が隠れるのを回避でき、番組中でも設定操作が可能になる。タッチパネルを利用する場合には、設定操作部もディスプレイ位置に応じて変更することが好適である。典型的には、ディスプレイの移動に応じて、設定操作部（ボタン等）の位置がディスプレイ上で反対方向に移動される。
【００２１】
本発明の別の態様は、切替対象の切替えを行う切替対象切替装置である。この切替装置は、前記切替対象を切り替えるために操作される操作卓と、前記操作卓に設けられ、前記切替対象の効果設定の設定値を変更するために操作される設定操作部材と、前記設定操作部材の操作に応じた前記設定値を表示するディスプレイと、前記ディスプレイの露出範囲を低減する所定の退避方向へと前記ディスプレイを移動する移動機構と、前記退避方向における前記ディスプレイの位置を検出するディスプレイ位置検出部と、前記ディスプレイ位置検出部により検出された位置情報に応じて前記ディスプレイの表示を制御する制御部と、を備え、前記制御部は、前記ディスプレイが前記退避方向へ移動したときに残った露出範囲に前記設定値を表示するように前記設定値の表示を変更する。
【００２２】
上記態様では、切替対象が映像に限定されない。設定値を表示するディスプレイを備える切替装置には本発明を好適に適用できる。切替対象は音声でもよく、この場合には、切替装置が音声切替装置であり、すなわち、本発明が音声切替装置に適用される。音声切替装置は、ミキサとよばれる音声調整卓でよい。また、切替対象が照明でもよく、この場合には、切替対象切替装置が照明切替装置であり、すなわち、本発明が照明切替装置に適用される。照明切替装置は、照明調光の切替を照明調光卓でよい。さらに、切替対象が複数種類でもよく、例えば、切替対象切替装置が映像と音声の切替を行ってよい。
【００２３】
本態様では、切替対象は限定されないが、上述の本発明の利点が得られる。すなわち、ディスプレイが退避方向へ移動可能に設けられ、この移動によってディスプレイが邪魔になるのを回避できる。ノブ等の設定操作部材は操作卓に備えられるので、ディスプレイが移動しても操作部材は操作可能である。また、ディスプレイが移動して露出範囲が減っても、残った露出範囲に設定値を表示するように設定値の表示が制御される。このように、音声効果や調光等でも設定値を表示するディスプレイを備える切替装置であれば本発明を好適に適用でき、そして、ディスプレイが邪魔になることなく、設定値を確認しながら設定操作を行うことが可能な切替対象切替装置を提供することができる。
【００２４】
本発明の別の態様は、切替対象の切替えを行う切替対象切替装置である。この切替装置は、前記切替対象を切り替えるために操作される操作卓と、前記切替対象の効果設定を行うために用いられ、効果設定の設定値を表示するディスプレイと、前記ディスプレイの露出範囲を低減する所定の退避方向へと前記ディスプレイを移動する移動機構と、前記退避方向における前記ディスプレイの位置を検出するディスプレイ位置検出部と、前記ディスプレイ位置検出部により検出された位置情報に応じて前記ディスプレイの表示を制御する制御部と、を備え、前記制御部は、前記ディスプレイが前記退避方向へ移動したときに残った露出範囲に前記設定値を表示する。
【００２５】
この態様でも、切替対象が映像に限定されず、例えば音声でもよく、照明でもよい。また、この態様は、設定操作部材が上述の構成と同様に操作卓に設けられる構成に限定されない。これらの限定はないが、この態様でも上述した本発明の利点が同様に得られる。
【発明の効果】
【００２６】
本発明は、映像効果設定用のディスプレイを退避方向に移動可能に設け、設定操作部材を操作卓に設け、ディスプレイの退避方向の移動に応じて設定値の表示を変更することにより、番組中でもディスプレイが邪魔になることなく、設定値を確認しながら設定操作を行うことができるという効果を有する映像切替装置を提供することができる。
【発明を実施するための最良の形態】
【００２７】
以下、本発明の実施の形態に係る映像切替装置について、図面を用いて説明する。
【００２８】
本発明の実施の形態に係る映像切替装置を図１に示す。図１において、映像切替装置１１は、操作卓１３を備え、操作卓１３には映像切替操作のためのボタン群１５が配置されている。操作卓１３の奥の縁部にディスプレイ１７が備えられている。図では理解が容易なようにディスプレイ１７が寝かした状態で描かれているが、実際にはディスプレイ１７は立っている。ディスプレイ１７は、既に述べたように、フラットパネルディスプレイで構成されており、メニューディスプレイパネルと呼ばれ、映像効果の詳細を設定するために用いられる。
【００２９】
操作卓１３は、ディスプレイ１７の近傍に設定操作部１９を備え、設定操作部１９は、ディスプレイ１７を利用して映像効果の設定値を変更するための設定操作部材で構成されている。このように、本実施の形態では、設定操作部材が、ディスプレイ１７に一体化されず、操作卓１３側に配置されている。本実施の形態では、操作部材としてノブ２１とボタン２３が備えられており、これらは左右に隣接して並んでいる。以下の説明では、これら設定操作部材のうちのノブ２１を中心に本発明について説明する。
【００３０】
図２は、映像切替装置１１をディスプレイ表示と共に示す模式化された図である。ノブ２１は、操作卓１３の奥側の縁付近に配置されており、ディスプレイ１７の手前に位置している。ディスプレイ１７は、ノブ２１に近い下側の縁部に設定値を表示する。各ノブ２１の設定値が、該当するノブ２１の近傍に位置するように表示される。ノブ２１が操作者により回されると、回動角に応じて設定値が変わり、設定値の変更がディスプレイ表示に反映される。
【００３１】
図２のディスプレイ表示についてさらに説明すると、本実施の形態では、ディスプレイ１７の表示領域２５が、複数の分割領域２７に分割される（物理的には画面が一つであるが、複数の領域からなる合成画像を表示する）。図の例では、分割領域２７の数が上中下の３つであり、それらが上下に並んでいる。３つの分割領域２７にはそれぞれ３つの分割画像が表示される。各々の分割画像は、ディスプレイ１７を使って提示される何らかの情報表示画像である。図の例では、３つの分割画像は、第１分割画像３１、第２分割画像３２および設定値画像３３（第３の分割画像に相当する）である。設定値画像３３は、ノブ２１を使って設定される設定値の画像である。図２の状態では、第１分割画像３１が上段（第１段目）の分割領域２７に表示され、第２分割画像３２が中段（第２段目）の分割領域２７に表示され、設定値画像３３が下段（第３段目）の分割領域２７に表示されている。これにより、ノブ２１の近傍に設定値画像３３が表示されているので、ノブ２１の機能と設定値の把握が操作者にとって容易である。
【００３２】
本実施の形態では、下記のようにディスプレイ１７が上下に移動可能である。そして、ディスプレイ１７の移動に応じて、上記の複数の分割画像が並び替えられ、これにより設定値の表示位置が変えられる。
【００３３】
図３および図４は、ディスプレイ１７の移動機構４１の例を示している。図示のように、操作卓１３の本体の背後に支柱４３が立てられている。ディスプレイ１７は、支柱４３に沿って上下にスライド可能であり、これによりディスプレイ１７が上下にスライドする。本実施の形態では、ディスプレイ１７の高さを３段階で調整可能である。
【００３４】
図３（ａ）および図４（ａ）に示されるように、第１段では、ディスプレイ１７が最も高い位置にあり、ディスプレイ１７の表示領域２５の全体が操作卓１３の上面より上にあり、露出している。すなわち、表示領域２５の全体が操作者の視界の中にある。
【００３５】
図３（ｂ）および図４（ｂ）に示されるように、第２段では、ディスプレイ１７が少し下に移動する。このとき、表示領域２５の一部が操作卓１３の背後に隠れて見えなくなり、残った一部が露出する。具体的には、表示領域２５の３分の１が隠れて、３分の２が露出しており、上段および中段の２つの分割領域２７が操作者に見える。
【００３６】
図３（ｃ）および図４（ｃ）に示されるように、第３段では、ディスプレイ１７がさらに下に移動する。この状態でも、表示領域２５の一部が操作卓１３の背後に隠れて見えず、残った一部が露出する。ただし、露出量は少なくなる。具体的には、表示領域２５の３分の２が隠れて、３分の１が露出しており、上段の１つの分割領域２７のみが操作者に見える。
【００３７】
移動機構４１は、ディスプレイ１７を上記の３段階の位置で固定する係合構造を備えている。ディスプレイ１７を移動するときは、操作者により係合が解除されて、ディスプレイ１７が手で動かされ、再び係合操作が行われる。
【００３８】
上記の上下方向は、ディスプレイ１７の露出範囲を低減する方向であり、本発明の退避方向に相当する。また、第１段のディスプレイ位置は、表示領域２５の全体が露出する位置であり、本発明の全露出位置に相当する。また、第２段および第３段のディスプレイ位置は、表示領域２５の一部が露出する位置であり、本発明の部分露出位置に相当する。
【００３９】
次に、図５を参照し、映像切替装置１１の構成と共に、ディスプレイ１７の表示を制御する構成について説明する。既に説明したように、映像切替装置１１は、ボタン群１５、ディスプレイ１７および設定操作部１９を備え、設定操作部１９は複数のノブ２１を備えている。さらに、映像切替装置１１は、制御部５１とディスプレイ位置検出部５３を備えている。制御部５１はＣＰＵ等で構成されるコンピュータであり、図示の構成を含む映像切替装置１１の全体を制御している。
【００４０】
ボタン群１５からは、ボタン操作信号が制御部５１に入力される。制御部５１は、ボタン操作信号に応答し、ボタン操作に従って映像を切り換える。
【００４１】
設定操作部１９は制御部５１にノブ２１の回動操作信号を入力する。本実施の形態では、各ノブ２１にエンコーダが備えられている。エンコーダがノブ２１の回動角を検出し、回動角が回動操作信号として制御部５１に送られる。制御部５１は、ノブ２１の回動角に応じて設定値を変更する。
【００４２】
また、制御部５１は、画像処理機能を持ち、ディスプレイ１７の表示データを生成してディスプレイ１７に送る。ディスプレイ１７は、制御部５１から提供された表示データを表示する。制御部５１は、ノブ２１の操作に応じて設定値を変更すると、変更後の設定値を反映した表示データをディスプレイ１７に送り、表示させる。
【００４３】
図２を用いて説明したように、本実施の形態では、ディスプレイ１７は、３つの分割画像（３１〜３３）の合成画像を表示する。制御部５１は、これら３つの分割画像を合成した表示データを生成し、合成画像の表示データをディスプレイ１７に送る。
【００４４】
ディスプレイ位置検出部５３は、ディスプレイ１７の上下方向の位置を検出する。既に説明したように、本実施の形態では、ディスプレイ１７の高さが３段階で調整される。ディスプレイ位置検出部５３は、移動機構４１に設けられており、ディスプレイ１７が３つの位置のいずれに位置しているかを検出する。ディスプレイ位置検出部５３は、例えば、３つのディスプレイ位置にそれぞれ対応する３つのスイッチで構成される。スイッチのオンオフによりディスプレイ位置が検出される。
【００４５】
ディスプレイ位置検出部５３は、ディスプレイ位置を制御部５１に伝える。制御部５１は、ディスプレイ位置に応じて３つの分割画像の並び替えを行い、並替後の画像の表示データをディスプレイ１７に表示させ、これにより設定値画像３３の位置を変更する。
【００４６】
以上に図５の各部構成について説明した。次に、本実施の形態に係る映像切替装置１１の動作について説明する。
【００４７】
ディスプレイ１７を用いた詳細設定は、番組準備段階で行われることが多い。このとき、図３（ａ）および図４（ａ）に示されるように、ディスプレイ１７が、最も高い第１段の位置に好適に配置される。このディスプレイ位置がディスプレイ位置検出部５３により検出されて制御部５１に入力される。
【００４８】
制御部５１は、ディスプレイ位置に応じて、分割画像の配置を制御する。ディスプレイ１７が第１段の位置にあるときは、図示のように３つの分割画像が配置される。具体的には、第１分割画像３１および第２分割画像３２が上段および中段の分割領域２７にそれぞれ配置される。そして、ノブ２１に対応する設定値画像３３が、下段の分割領域２７に配置される。
【００４９】
操作者は、設定値画像３３を見ながらノブ２１を回して設定値を調整する。ノブ２１と設定値画像３３が近いので、ノブ２１の設定値の確認が容易であり、調整作業も容易である。
【００５０】
番組準備が終わると、番組中の映像切替操作の邪魔にならないように、ディスプレイ１７が下方に退避される。ディスプレイ１７の高さは必要に応じて調整される。
【００５１】
図３（ｂ）および図４（ｂ）の例では、ディスプレイ１７が第２段の位置にあり、ディスプレイ１７の表示領域２５のうちの３分の２が露出している。このディスプレイ位置がディスプレイ位置検出部５３により検出されて、制御部５１に入力される。
【００５２】
制御部５１は、ディスプレイ位置に応じて、分割画像を並び替える処理を行う。第２段のディスプレイ位置が検出されると、制御部５１は、設定値画像３３の表示位置を一つ上の段の分割領域２７に変える。すなわち、設定値画像３３が中段に表示される。代わりに、第２分割画像３２が、中段の分割領域２７から下段の分割領域２７へと移される。上段の第１分割画像３１の表示は維持される。
【００５３】
上記の並替えにより、設定値画像３３は、表示領域２５の露出範囲では下側の縁部に位置することになり、ノブ２１と設定値画像３３の位置関係はディスプレイ１７の移動前後で維持される。最下段に移された第２分割画像３２は、操作卓１３の本体の後ろに隠れて見えなくなる。
【００５４】
図３（ｃ）および図４（ｃ）の例では、ディスプレイ１７がさらに下がり、第３段の位置にあり、ディスプレイ１７の表示領域２５のうちの３分の１が露出している。このディスプレイ位置が検出されると、制御部５１は、さらに、分割画像を並び替える処理を行う。この場合、制御部５１は、設定値画像３３の表示位置を上段の分割領域２７に移す。最上段にあった第１分割画像３１は、中段の分割領域２７に移される。
【００５５】
上記の動作では、ディスプレイ１７が下がった結果、上段の分割領域２７だけが操作卓１３の上に残っている。この上段の分割領域２７へと設定値画像３３が移されている。ここでも、設定値画像３３は、表示領域２５の露出範囲では下側の縁部に位置することになり、そして、ノブ２１と設定値画像３３の位置関係は維持される。他の２つの分割画像（第１分割画像３１および第２分割画像３２）は、操作卓１３の本体の後ろに隠れて見えなくなる。
【００５６】
番組中は原則としてはディスプレイ１７を使った設定操作は行われないことが多い。本実施の形態では、ディスプレイ１７が下方に下がって操作卓１３の後ろに隠れるので、ディスプレイ１７がモニタ監視等の邪魔になるのを回避できる。
【００５７】
しかし、番組中に、設定変更の要求が突発的に発生することがある。このような場合に、本実施の形態では、ノブ２１が操作卓１３に配置されており、隠れていない。さらに、設定値画像３３が、部分的に残った表示領域に表示されており、設定値が操作者に分かる。したがって、操作者は、突発的な設定要求に対処し、現在の設定値を確認しながらノブ２１を操作して調整作業を即座に行うことができる。
【００５８】
以上に本発明の実施の形態に係る映像切替装置１１について説明した。本実施の形態によれば、ディスプレイ１７が退避方向（上記の例では上下方向）へ移動可能に設けられ、この移動によってディスプレイ１７が番組中に邪魔になるのを回避できる。設定操作部材であるノブ２１は操作卓１３に備えられるので、ディスプレイ１７が移動しても操作部材は操作可能である。また、ディスプレイ１７が移動して露出範囲が減っても、残った露出範囲に設定値を表示するように設定値の表示が制御される。したがって、番組中でもディスプレイ１７が邪魔になることなく、設定値を確認しながら設定操作を行うことが可能である。
【００５９】
また、本実施の形態によれば、ディスプレイ１７が退避方向に移動しても、設定値の表示を退避方向と反対向きに移動する処理を行うことによって、部分的に残った露出範囲に設定値表示を残すことができる。
【００６０】
また、本実施の形態によれば、ディスプレイが全露出位置（第１段位置）から、部分露出位置（第２段位置、第３段位置）へ移動する。制御部５１は、ディスプレイ１７が全露出位置にあるときは表示領域２５における退避方向側の縁部に設定値を表示し、ディスプレイ１７が部分露出位置にあるときは表示領域２５の露出範囲における退避方向側の縁部に設定値を表示する。これにより、表示領域２５の全体が露出しているときも、一部が露出しているときも、露出範囲内で退避方向側の縁部に設定値が表示され、ディスプレイの位置が変わっても設定値の表示位置を維持することができる。上記の例では、ノブ２１と設定値表示の位置関係が保たれる。したがって、ディスプレイ１７の位置に拘わらず設定値の視認が容易であり、設定操作も同様に行うことができる。
【００６１】
また、本実施の形態によれば、ディスプレイ１７は、複数の分割領域２７に複数の分割画像をそれぞれ表示し、複数の分割画像に設定値画像３３が含まれ、制御部５１は、ディスプレイ１７の位置情報に応じて分割画像の並びを変更する。これにより、設定値の表示位置を好適に変更できる。
【００６２】
上記の例では、退避方向の分割画像幅に対応する移動幅で段階的にディスプレイ１７が移動するように移動機構が構成されている。そして、ディスプレイ１７の移動に連動して分割画像が並び替えられる。特に、一つの分割画像が露出範囲に残るディスプレイ位置では、設定値画像が露出範囲に残される。これにより、ディスプレイ１７の露出を最低限にしつつ、設定値の表示を残すことができる。
【００６３】
また、本実施の形態では、設定操作部材は、ディスプレイ１７の表示領域２５の全体が露出しているときのディスプレイ１７の退避方向側の縁部に隣接して配置されている。この構成により、設定値の表示と設定操作部材を近接させることができ、設定値を確認しながらの操作が容易になる。
【００６４】
次に、上記の実施の形態の変形例を説明する。上記の実施の形態では、ディスプレイ１７が手動で移動された。しかし、本発明の範囲内で、ディスプレイ１７が機械的に移動されてもよい。例えば、ディスプレイ１７がモータ動力によって移動されてもよい。この場合、モータ制御回路がモータの回動角を決定し、回動角決定値を実現するようにモータを制御してよい。このとき、モータ制御回路が、回動角決定値を制御部５１に伝えることにより、ディスプレイ位置検出部５３として機能してよい。あるいは、ディスプレイ位置はセンサで検出されてもよい。モータ回動角がエンコーダ等で検出され、モータ回動角からディスプレイ位置が算出されてよい。
【００６５】
上記の実施の形態では、設定操作部材として主にノブ２１が説明された。しかし、設定操作部材がノブ２１に限定されない。例えば、前述したように、図１および図２に示されるボタン２３も設定操作部材である。図４に示したように、ボタン２３の設定値表示（オンまたはオフ）も、ノブ２１の設定値表示と共に、ディスプレイ位置に応じて制御される。さらに、設定操作部材は、他の種類の操作部材でもよい。
【００６６】
上記の実施の形態では、ディスプレイ１７の位置が段階的に調整された。しかし、ディスプレイ１７の位置は無段階で調整されてよい。この場合、設定値の表示位置も無段階で調整されることが望ましい。
【００６７】
上記の実施の形態では、分割画像の並替えによって設定値の表示位置が変更された。しかし、本発明の範囲内で、他の処理で表示位置が変更されてよい。例えば、画面がスクロールされてもよい。
【００６８】
上記の実施の形態では、操作卓１３の背後に隠れた部分にも情報が表示された。これに対して、操作卓１３の背後に隠れる部分には情報が表示されず、表示が無地等でもよい。
【００６９】
上記の実施の形態において、ノブ２１は、マルチファンクション機能に対応していてよい。この場合、各ノブ２１が複数種類の設定値に対応する。ノブ２１の機能が変更されると、それに応じて設定値表示も変えられる。また、本発明の範囲内で、ディスプレイ１７が上述した画像と異なる他の画像も表示してよいことはもちろんであり、上記の例の３分割画像とは別の画像も表示してよいことももちろんである。
【００７０】
また、本実施の形態では、表示領域２５の露出範囲に設定値表示を残すための表示変更処理として、設定値の表示が移動された。しかし、移動以外の表示変更処理で、設定値が露出範囲に残されてもよい。例えば表示が変形されてもよい。表示変形処理が、上述してきた表示移動処理と組み合わされてもよい。
【００７１】
表示変形の一例としては、画像が縮小されてよい。例えば、画像の縦横比が変更される。ディスプレイ１７が下がると、縦方向の寸法が縮小されて、画像が露出範囲に収められる。簡単な例としては、画像の縦横比が「４：３」から「１６：９」に変更されてもよい。
【００７２】
表示変形の別の例では、ディスプレイ１７が下がったときに、設定値表示が、グラフィック（図形）からテキストに変更される。例えば、設定値の数値が数字で表示される。これにより表示サイズを縮小でき、設定値表示を露出範囲に残すことができる。
【００７３】
また、本実施の形態では、ディスプレイ１７が上下に移動された。しかし、本発明の範囲内で別の方向にディスプレイ１７が移動されてよい。すなわち、本発明の退避方向は上下方向に限定されない。
【００７４】
また、本実施の形態では、ディスプレイ１７が操作卓１３の背後に隠れた。しかし、本発明はこれに限定されない。例えば、ディスプレイ１７が操作卓１３に収容されてもよい。
【００７５】
また、本実施の形態では、設定操作部とその操作部材が操作卓１３側に設けられた。しかし、設定操作部を操作卓１３に設けない構成も実現可能である。例えば、設定操作部がディスプレイ１７に設けられる。典型的には、ディスプレイ１７がタッチパネルであり、タッチパネルが設定操作部として機能する。この場合、タッチパネル上の設定操作部は、設定値表示の近傍に好適に配置される。そして、好ましくは、ディスプレイ１７の位置に応じて、設定操作部もディスプレイ１７上で変更される。好適には、ディスプレイ１７の移動に応じて、設定操作部（ボタン等）の位置をディスプレイ１７上で反対方向に移動する。これにより、設定操作部の隠れも回避でき、すなわち露出を維持できる。このような構成によっても、番組中における設定値を確認しながらの設定操作が可能である。
【００７６】
また、本実施の形態では、ディスプレイ１７が一般的なフラットパネルディスプレイであった。しかし、折曲げ可能なフレキシブルなディスプレイが適用されてもよい。この構成は、操作卓１３が薄型の場合に有利である。ディスプレイが折り曲げられて、一部が操作卓１３の下方に納められてよい。この場合も、操作卓１３の上に残った表示領域に、設定値表示が好適に行われる。
【００７７】
また、本実施の形態は映像切替装置であり、切替対象が映像であった。この映像切替装置は、切替対象切替装置の一例ということができる。別の例では、切替対象切替装置が、音声を切替対象とする音声切替装置であり、要するに、ミキサとよばれる音声調整卓である。あるいは、別の例では、切替対象切替装置が、照明等を切替対象とする照明切替装置であり、要するに、照明等の調光の調整を行う照明調光卓である。このように切替対象が映像に限らず、音声や照明調光等の切替を行う場合にも、音声効果や調光等の設定値を表示するディスプレイが備えられていれば、本発明を好適に適用でき、そして、本発明の利点が同様に得られ、番組やイベントなどの本番中などにディスプレイが邪魔になることなく、設定値を確認しながら設定操作を行うことが可能になる。なお、本発明の範囲内で、さらに、切替対象が複数種類でもよいことはもちろんであり、例えば、映像と音声が操作卓によって切り替えられてよい。
【００７８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７９】
以上のように、本発明にかかる映像切替装置は、番組中でもディスプレイが邪魔になることなく、設定値を確認しながら設定操作を行うことができるという効果を有し、番組制作用のスイッチャ等として有用である。
【図面の簡単な説明】
【００８０】
【図１】本発明の実施の形態に係る映像切替装置の平面図
【図２】映像切替装置の構成をディスプレイ表示と共に模式的に示す図
【図３】（ａ）ディスプレイが第１段位置にあるときの映像切替装置を示す側面図  （ｂ）ディスプレイが第２段位置にあるときの映像切替装置を示す側面図  （ｃ）ディスプレイが第３段位置にあるときの映像切替装置を示す側面図
【図４】（ａ）ディスプレイが第１段位置にあるときの映像切替装置を示す平面図  （ｂ）ディスプレイが第２段位置にあるときの映像切替装置を示す平面図  （ｃ）ディスプレイが第３段位置にあるときの映像切替装置を示す平面図
【図５】本発明の実施の形態に係る映像切替装置のブロック図
【図６】従来の映像切替装置を示す図
【図７】従来の映像切替装置を示す図
【図８】従来の映像切替装置を示す図
【符号の説明】
【００８１】
１１  映像切替装置
１３  操作卓
１５  ボタン群
１７  ディスプレイ
１９  設定操作部
２１  ノブ
２５  表示領域
２７  分割領域
３１  第１分割画像
３２  第２分割画像
３３  設定値画像
４１  移動機構
５１  制御部
５３  ディスプレイ位置検出部
【図１】
0004625404.tif 000002
【図２】
0004625404.tif 000003
【図３】
0004625404.tif 000004
【図４】
0004625404.tif 000005
【図５】
0004625404.tif 000006
【図６】
0004625404.tif 000007
【図７】
0004625404.tif 000008
【図８】
0004625404.tif 000009